(57)【特許請求の範囲】
【請求項１】
光源の光軸と、集光レンズの光軸と、被固定レンズの光軸とを同一軸上とし、
レンズ支持部材に載置された前記被固定レンズの周囲全体と前記レンズ支持部材との双方に対して前記集光レンズを介した前記光源からのレーザ光を１度に照射して前記レンズ支持部材の一部を溶解させ、前記溶解した前記レンズ支持部材で前記被固定レンズの周囲全体を覆い、
前記溶解したレンズ支持部材を硬化させて前記被固定レンズと前記レンズ支持部材とを１度に固定すること
を特徴とするレンズユニット製造方法。
【請求項２】
集光レンズを介したレーザ光は、中央部が遮断された光であること
を特徴とする請求項１記載のレンズユニット製造方法。
【請求項３】
集光レンズは、中央部にマスクが形成されたマスク付の集光レンズであること
を特徴とする請求項２記載のレンズユニット製造方法。
【請求項４】
集光レンズ駆動機構によって位置が調整された集光レンズを介して、光源からレーザ光の照射を行うこと
を特徴とする請求項１から３いずれか記載のレンズユニット製造方法。
【発明の詳細な説明】
【０００１】
【発明の属する技術分野】
本発明は、レンズユニットの製造を行うレンズユニット製造方法に関するものである。
【０００２】
【従来の技術】
従来のレンズを鏡筒に固定する技術としては、熱可塑性樹脂で作った鏡筒の一部に熱を加えて変形させ、レンズを押さえ込む、いわゆる熱カシメという方法が知られている。
【０００３】
図５は従来の技術におけるレンズ固定方法を示すもので、図５において、５１は熱可塑性のある樹脂で作った鏡筒で、カシメ部５２が設けられている。鏡筒５１を受け治具５３に固定し、レンズ５４を鏡筒にはめ込む。その後熱カシメ用アンビル５５を加熱し、上方よりカシメ部５２にあてがうとともに所定の圧力で加圧すると、図６に示すようにカシメ部５２が変形してレンズ５４の上に被さりレンズが固定される。ここで、鏡筒５１の中心軸とレンズ５４の中心軸がほぼ一致するように固定するために、受け治具５３の中心軸とアンビル５５の中心軸がほぼ一致するように調整されている（例えば特許文献１）。
【０００４】
【特許文献１】
特開昭６３−２０６７１４号公報
【０００５】
【発明が解決しようとする課題】
しかしながら、この固定方法では、レンズ、鏡筒に対し専用のアンビルおよび受け治具が必要である。そのため、機種の変更により、レンズ、鏡筒の形状が変わると、これらアンビル、受け治具の作り直し、および位置調整が必要となる。従って、従来の技術では、多機種を有するあるいは、その切り替えサイクルが短いものに対しては、機種切り替え時の立ち上げ時間がかかり、生産性が低下する。
【０００６】
そこで、本発明は、レンズ・鏡筒の形状変更に対して汎用性の高いレンズ固定方法およびその装置を提供することを目的とする。
【０００７】
【課題を解決するための手段】
上記問題を解決するため、本発明のレンズユニットの製造方法は、光源の光軸と、集光レンズの光軸と、被固定レンズの光軸とを同一軸上とし、レンズ支持部材に載置された前記被固定レンズの周囲全体と前記レンズ支持部材との双方に対して前記集光レンズを介した前記光源からのレーザ光を１度に照射して前記レンズ支持部材の一部を溶解させ、前記溶解した前記レンズ支持部材で前記被固定レンズの周囲全体を覆い、前記溶解したレンズ支持部材を硬化させて前記被固定レンズと前記レンズ支持部材とを１度に固定することを特徴とするものである。
【０００８】
【発明の実施の形態】
本発明の具体的実施の形態を説明する。
【０００９】
（第１の実施の形態）
図１は本発明の第１の実施の形態におけるレンズ固定方法を示すものである。
【００１０】
図１において、１は、熱可塑性のある樹脂で作った鏡筒、２は鏡筒１に設けられたカシメ部、３はレンズである。４は鏡筒１を固定する受け治具、５は樹脂を溶解させる光を発するレーザ光源、６は集光レンズ、７は集光レンズ駆動装置、８は照射位置調整装置である。レーザ光源５からのレーザ光の焦点位置が鏡筒１のカシメ部２およびレンズ３の周囲部になるように、集光レンズ駆動装置８によって集光レンズ６の位置を調整している。また、照射位置調整装置８で、レーザ光源５、集光レンズ６、集光レンズ駆動装置７を動かすことにより、レンズ３の周囲全体に対してレーザ照射を行う。
【００１１】
次に鏡筒１にレンズ３を固定する方法を以下に説明する。
【００１２】
まず、鏡筒１を受け治具４に固定し、レンズ３を鏡筒１にはめ込む。レーザ光源５からレーザを発し、集光レンズ６を介してカシメ部２およびレンズ３の周囲部に照射する。図２に示すように照射されたカシメ部２は加熱されて軟化・溶解し、鏡筒１とレンズ３の隙間およびレンズ３の上に覆い被さることにより鏡筒１とレンズ３が固定される。更に、照射位置調整装置８を動かすことにより、レンズ３の周囲全体に渡って固定を行う。
【００１３】
本発明の固定方法では、鏡筒およびレンズの形状が変わっても、レーザ焦点位置およびレーザ照射位置を集光レンズ駆動装置７および照射位置調整装置８を動かして変更することで対応できるため、機種切り替え時の立ち上げ時間が短縮される。
【００１４】
以上説明したように、第１の実施の形態によれば、レーザ照射でカシメ・溶着を行い、レンズを鏡筒に固定することにより、多機種を有するあるいは、その切り替えサイクルが短いものに対して、その機種切り替え立ち上げ時間が短縮され、生産性が向上する。
【００１５】
（第２の実施の形態）
図３は本発明の第２の実施の形態におけるレンズ固定方法を示すものである。
【００１６】
図３において図１と同一の機能をもつものは動作も同様であり、同一の符号を付して説明を省略する。
【００１７】
図３において、９は樹脂を溶解させる光を発する第１のレーザ光源、１０は第２のレーザ光源、１１は第１の集光レンズ、１２は第２の集光レンズ、１３は第１の集光レンズ駆動装置、１４は第２の集光レンズ駆動装置である。第１および第２のレーザ光源９、１０による照射位置を結ぶ直線がほぼレンズ３の中心を通るように、第１および第２の集光レンズ駆動装置１３、１４によって、第１および第２の集光レンズ１１、１２の位置が調整されている。１５は照射位置調整装置であり、第１および第２のレーザ光源９、１０、第１および第２のレーザ用レンズ１１、１２、第１および第２のレンズ駆動装置１３、１４をレンズ３中心周りに回転させることにより、レンズ３の周囲全体に渡ってレーザ照射し、カシメ・溶着を行い、レンズ３を鏡筒１に固定する。
【００１８】
本実施の形態では、レンズ３の中心からの対称位置２箇所を同時にレーザ照射するため、熱変形に伴う位置ずれおよび残留応力を緩和でき、精度の高いレンズ固定が実現できる。また、２箇所同時にレーザ照射するため、タクトを半分にすることができる。
【００１９】
以上説明したように、第２の実施の形態によれば、レンズ中心からの対称位置２箇所を同時にレーザ照射して、カシメ・溶着を行うため、高精度かつ高速でレンズを固定することができる。
【００２０】
（第３の実施の形態）
図４は本発明の第３の実施の形態におけるレンズ固定方法を示すものである。
【００２１】
図４において図１と同一の機能をもつものは動作も同様であり、同一の符号を付して説明を省略する。
【００２２】
図４において、１６は樹脂を溶解させる光を発するレーザ光源、１７はマスク付集光レンズ、１８は集光レンズ駆動機構である。レーザ光源１６から発したレーザ光はマスク付集光レンズ１７によって、中央部が遮断されリング状となる。そのリング状のレーザ光がカシメ部２およびレンズ３周囲を照射するように、集光レンズ駆動機構１８によって、マスク付集光レンズ１７の位置は調整されている。成形されたレーザ光でレンズ３周囲全体を照射することで、カシメ・溶着を行い、レンズ３を鏡筒１に固定する。
【００２３】
本実施の形態では、レンズ３周囲全体をリング状に成形されたレーザ光により１度で照射するため、熱変形に伴う位置ずれおよび残留応力を緩和でき、精度の高いレンズ固定が実現できる。また、１度のレーザ照射であるため、タクトを短縮することができる。
【００２４】
以上説明したように、第３の実施の形態によれば、リング状に成形したレーザ光でレンズの周囲全体を照射して、カシメ・溶着を行うため、高精度かつ高速でレンズを固定することができる。
【００２５】
【発明の効果】
以上説明したように、本発明によれば、光源の光軸と、集光レンズの光軸と、被固定レンズの光軸とを同一軸上とし、レンズ支持部材に載置された前記被固定レンズの周囲全体と前記レンズ支持部材との双方に対して前記集光レンズを介した前記光源からのレーザ光を１度に照射して前記レンズ支持部材の一部を溶解させ、前記溶解した前記レンズ支持部材で前記被固定レンズの周囲全体を覆い、前記溶解したレンズ支持部材を硬化させて前記被固定レンズと前記レンズ支持部材とを１度に固定することで、熱変形に伴う位置ずれおよび残留応力を緩和でき、精度の高いレンズ製造が実現できる。また、複数個所に同時にレーザ光を照射するため、タクトを減少させることができる。
【図面の簡単な説明】
【図１】本発明の第１の実施の形態の概略図
【図２】第１の実施の形態におけるカシメ・溶着を示す図
【図３】本発明の第２の実施の形態の概略図
【図４】本発明の第３の実施の形態の概略図
【図５】従来のレンズ固定方法を示す概略図
【図６】鏡筒の熱カシメを示す図
【符号の説明】
１  鏡筒
２  カシメ部
３  固定するレンズ
４  受け治具
５  レーザ光源
６  集光レンズ
７  集光レンズ駆動装置
８  照射位置調整装置
【図１】
0004032982.tif 000002
【図２】
0004032982.tif 000003
【図３】
0004032982.tif 000004
【図４】
0004032982.tif 000005
【図５】
0004032982.tif 000006
【図６】
0004032982.tif 000007